Podtech/llm-jp-corpus-v4-ja_patent huggingface dataset:
(57)【要約】      （修正有）【課題】ベルトに付けて、ベルト装着部分に設けた駆動部分から駆動する、磁石部分の磁石に、金属の釘やネジ等の金属製品を付けて使用する、ベルトに付けて使用する金属接着磁石ホルダーを提供する。【解決手段】ベルトに付けるベルト装着部分１に、駆動部分３を設けて、駆動部分３から、磁石部分２の磁石４が駆動して、磁石部分２の磁石４に金属接着部分を設けたことを特徴とする。【選択図】図１
2020099987.tif 000002
【特許請求の範囲】
【請求項１】
ベルトに付けるベルト装着部分に、駆動部分を設けて、駆動部分から磁石部分が駆動する、磁石部分の磁石による金属接着部分を設けたことを特徴とする金属接着磁石ホルダーである。
【請求項２】
ベルトに付けるベルト装着部分の、駆動部分から駆動する磁石部分を設けて、その磁石部分の磁石に金属製品が付きやすいように、磁石部分を屈曲させて角度を設けたことを特徴とする金属接着磁石ホルダーである。
【発明の詳細な説明】
【技術分野】
【０００１】  この発明は、ベルトに付けて、ベルト装着部分に設けた駆動部分から駆動する、磁石部分の磁石に、金属の釘やネジ等の金属製品を付けて使用する、ベルトに付けて使用する金属接着磁石ホルダーに関するものである。
【背景技術】
【０００２】  手元作業をする時、手元に釘やネジ等を持っている時に、工具を使用するために、一旦、釘やネジ等をどこかに置いたり、入れ物から取り出す必要があったが、磁石に付けた釘やネジ等の金属製品を、磁石から外して、すぐに使用できる。
【先行技術文献】
【特許文献】
【０００３】
【特許文献１】特開２００２−３４３６２５号公報
【発明の概要】
【発明が解決しようとする課題】
【０００４】  これは、次のような欠点があった。
手元作業をする時、手元に釘やネジ等を持っているときに、工具を使用するために、一旦、釘やネジ等をとこかに置いたり、入れ物から取り出す必要があった。
本発明は、以上のような欠点をなくすためになされたものである。
【課題を解決するための手段】
【０００５】  ベルトに付けるベルト装着部分に、駆動部分を設けて、駆動部分から磁石部分が駆動する、磁石部分の磁石に金属接着部分が設けられている。
本発明は、以上の構成よりなる、ベルトに付けて使用する金属接着磁石ホルダーである。
【発明の効果】
【０００６】  入れ物から、釘やネジ等を取り出す必要がなく、磁石部分に付けた釘やネジ等の金属製品を、磁石から取り外して、すぐに使用でき、作業時間の短縮ができる。
【図面の簡単な説明】
【０００７】
【図１】本発明の、斜視図表である。
【図２】本発明の、斜視図裏である。
【図３】本発明の、上面図である。
【図４】本発明の、磁石部分図である。
【図５】本発明の、ベルト装着部分図である。
【発明を実施するための形態】
【実施例】
【０００８】  以下、本発明の実施するための形態について説明する。
ベルト装着部分側にベルトを通して、ベルトに固定する。
ベルト装着部分の駆動部分から磁石部分が駆動して、磁石部分に磁石が付いていて、その磁石部分の磁石が動く。
本発明は、このような構造である。
駆動部分の磁石部分が動き、その磁石部分の磁石に、釘やネジ等の金属製品を付けて、その磁石に付けた金属製品を使用するときに、その金属製品を磁石から取り外して使用する。
【産業上の利用可能性】
【０００９】  作業での、手元作業の作業時間の短縮がなされる。
【符号の説明】
【００１０】    １  ベルト装着部分
２  磁石部分
３  駆動部分
４  磁石
【図１】
2020099987.tif 000003
【図２】
2020099987.tif 000004
【図３】
2020099987.tif 000005
【図４】
2020099987.tif 000006
【図５】
2020099987.tif 000007
(57)【要約】      （修正有）【課題】簡単に布巾を清潔に保つことができる布巾掛けを提供する。【解決手段】布巾１を掛けたまま電子レンジ殺菌が可能な布巾かけ２で、使用時に概山型あるいはそれらが連なる形状を為し、概山型を形成する少なくとも一つの斜面に線状あるいは面状の構造物が設けられ、布巾が山の稜線から直接垂れ下がることを防いで布巾の互いの空隙が保たれる。ガラスや陶器・磁器、プラスチックなどを素材にする。【選択図】図１
2020099654.tif 000002
【特許請求の範囲】
【請求項１】
掛けた布巾を電子レンジで加熱した後、電子レンジから布巾ごと出してそのままの状態で保管できる布巾かけであって、電子レンジで加熱してもスパークしない素材で構成されることを特徴とする布巾掛け。
【請求項２】
電子レンジで加熱してもスパークしない素材で構成されることを特徴とする布巾掛けを用いて、掛けた布巾を電子レンジで加熱した後、電子レンジから布巾ごと出してそのままの状態で布巾を保管する方法。
【発明の詳細な説明】
【技術分野】
【０００１】この発明は布巾掛けに関する。
【背景技術】
【０００２】  従来布巾掛けはキッチンカウンターの上に置くかあるいは壁面や吊り戸棚などに固定されていた。乾きやすいようにそれぞれ通気性などが工夫され、数枚を干せる物が多い。
【先行技術文献】
【０００３】
【特許文献】
【特許文献】特開２００７−１５１８００
【発明の概要】
【発明が解決しようとする課題】
【０００４】  布巾１は、食品などに接触しやすい上に、濡らして使用することが多い。使用後水洗いしてキッチンシンク脇などに類似の環境下に干した場合、細菌が８時間後に３３３倍に増殖したという実験結果もあり、昨今はスポンジとともに大変不潔なものとして認識されるようになってきた。【０００５】  清潔に保つことはなかなか面倒である。強い消毒液などは多用しにくい。洗濯機に入れるにも、別洗となると面倒だし、他の洗濯物と一緒に洗うのには抵抗がある。洗って布巾かけ２に干しておいても乾くまでの時間を考えると前項の実験などに示されたとおり清潔とはほど遠く、悩みのタネでもあった。【０００６】  布巾が不潔なのでキッチンタオルだけを使用する家庭も増えているが使い捨てはゴミが増える。【０００７】  本発明では、簡単に布巾を清潔に保つことができる布巾掛けの提供を課題とする。
【課題を解決するための手段】
【０００８】  布巾掛け２に干したままの布巾を電子レンジ加熱して殺菌した、その後キッチンカウンター上などに布巾掛け２ごと移動させて保管することができる布巾かけ２を提供することにより課題を解決する。
【発明の効果】
【０００９】  布巾を清潔に保てる。
電子レンジ加熱することで早く乾くため、細菌の増殖がより抑えられる上に家事もはかどる。
殺菌して干し、そのまま保管できるので簡単である。
薬品を使わないで殺菌できるので安全性が高い。
実施例によっては不使用時にはコンパクトになりキッチンでじゃまにならない。
布巾の置き場所に困らない。
【図面の簡単な説明】
【００１０】
【図１】（Ａ）実施例１ふきん掛け斜視図  （Ｂ）実施例１使用状態斜視図
【図２】（Ａ）コの字型  ふきん掛け  （Ｂ）実施例２使用状態斜視図
【図３】（Ａ）実施例３  コネクター型  パーツ正面図  （Ｂ）実施例３  一体型ヒンジ  パーツ
【図４】コネクター型ヒンジ  パーツ２点  連結状態  正面図
【発明を実施するための形態】
【００１１】  電子レンジで加熱殺菌した後、布巾掛け２ごとキッチンカウンターの上に載せておくだけなので、電子レンジに入る大きさであれば、従来の置き式布巾かけ２の形状は、全て利用可能である。しかし、目的が布巾を清潔に保つことなので。布巾が互いに距離を保ち、乾きやすい状態になる方が好ましい。
【００１２】  電子レンジでスパークするような素材は使用できない。ガラスや陶器・磁器、プラスチックなどを素材にする。プラスチックは軽く洗いやすく加工しやすいので向いている。また、熱くなるので適宜取手などを設けるとよい。
【実施例１】
【００１３】  使用時に概山型あるいはそれらが連なる形状を為し、概山型を形成する少なくとも一つの斜面に線状あるいは面状の構造物が設けられ、布巾が山の稜線から直接垂れ下がることを防いで布巾の互いの空隙が保たれることを特徴とする布巾かけ２を実施例１とする。折りたたみ式の場合は各斜面を構成するパーツ５は互いにヒンジ３を介して回動可能に係合されている。【００１４】  ２つの山型を連結するとＭ字型となり２枚干すことが可能である。布巾１枚だけで使用する場合は全体に広げるとより早く乾く。Ｎ字型でも２枚干すことは可能である。【００１５】  ヒンジ３の可動範囲を限定することで、開いた状態を維持できる。畳むと薄くなり置き場所に困らないが折りたたみ式に限定はしない。
【実施例２】
【００１６】  側方から見て、上方または下方に開放されたコの字型の形状の布巾かけ２は、２枚がけにしたり、１枚を広げたりと使用できる。上下を逆にしても使用できる。前項同様、線状あるいは面状の構造物で布巾の互いの接近を避ける。
【実施例３】
【００１７】  前々項の概山型布巾かけ２において、斜面の片側を構成する同一のパーツ５を互いに係合することにより概山型が構成される布巾かけ２が実施例の３である。同一パーツ５を使えるため、金型代が少なくて済むことと、販売開始後に追加で購入して枚数を増やしたり色替えをして楽しんだりできることが特徴である。
図３（Ａ）に示したのは、ヒンジ３をコネクター４外付け構成したパーツ５の正面図であり、そのパーツ５を２つ連結した様子は図４に示した。図３（Ｂ）にはヒンジ３を構成する突起と凹みがパーツ５本体と一体となっているもので、穴の空いた板が、布巾の互いの接触を防ぐものである。
【符号の説明】
【００２３】１．布巾
２．布巾かけ
３．ヒンジ
４．連結外付けコネクター
５．ふきん掛け枠パーツ
【図１】
2020099654.tif 000003
【図２】
2020099654.tif 000004
【図３】
2020099654.tif 000005
【図４】
2020099654.tif 000006
(57)【要約】      （修正有）【課題】飲み込みするときの誤飲を予防して嚥下機能へ刺激を与える誤飲予防システム装置を提供する。【解決手段】飲み込み練習をすることによりインナーマッスルとアウターマッスルへ刺激を与える、シングルタイプとダブルタイプからなる。装着方法は耳にかけるタイプで、パルス発信部裏には粘着パットバッテリー（リチウム電池）内臓切り替えＳＷオンーオフ小型ＰＣ基盤内臓タイマーによる時間設定ＬＥＤ表示等からなる誤飲予防システム装置。【選択図】図１
2020099655.tif 000002
【特許請求の範囲】
【請求項１】
本発明の小型超音波パルス発信の装置をあごの下に装着
オトガイ舌筋や舌根部や喉頭部や軟口部に刺激を与える。
粘着貼り付けとそれを補完する脱落防止
上記耳にかけるひもタイプか帯状のものの構成
【請求項２】
本発明の主題点は心拍に対応した人体に影響のない小型超音波パルス発信機。
あごの下に装着してオトガイ舌筋や舌根部や喉頭部や軟口部、に上記発信機より低周波の１ミリシーベルトクラスのパルスを完結的に発信し刺激を与え、
飲み込むときに利用されるインナーマッスルとアウターマッスルに刺激を与え、
上記以外に飲み込むときの弁、のど元にも両サイドから同じように刺激を与え。
上記刺激により、飲み込むときに肺に入ることを避け、
上記刺激により誤飲のない誘導をスムースにさせる予防的なシステム装置である。
【発明の詳細な説明】
【先行技術分野】
【０００１】オトガイ舌筋や舌根部や喉頭部や軟口部に外側から超音波パルスの信号を心拍にあわせた形でインナーマッスルとアウターマッスルにパルスを発信して定期的に刺激を与えて誤飲を予防する。
上記システム装置は粘着タイプで顎の外下部へ固定取り付けられ、脱落防止のために耳にかけるひも状か帯状のものを具備する。
【０００２】ｈｔｔｐｓ：／／ｗｗｗ．ｊｓｔａｇｅ．ｊｓｔ．ｇｏ．ｊｐ／ａｒｔｉｃｌｅ／ｓｏｂｉｍ／４０／４／４０＿２２９／＿ｐｄｆ
摂食嚥下障害のリハビリテーションの臨床と技術への期待  −
Ｊ−Ｓｔａｇｅ
ｈｔｔｐｓ：／／ｗｗｗ．ｊｓｔａｇｅ．ｊｓｔ．ｇｏ．ｊｐ／ａｒｔｉｃｌｅ／ｓｏｂｉｍ／４０／４／４０＿２２９／＿ｐｄｆ
井上誠  著
ｈｔｔｐｓ：／／ｗｗｗ．ｎａｋａｙａｍａｓｈｏｔｅｎ．ｊｐ／ｓａｍｐｌｅ／ｐｄｆ／９７８−４−５２１−７３５４０−５．ｐｄｆ
機能的電気刺激の原理と発声・嚥下障害への臨床応用
ｈｔｔｐｓ：／／ｗｗｗ．ｎａｋａｙａｍａｓｈｏｔｅｎ．ｊｐ／ｓａｍｐｌｅ／ｐｄｆ／９７８−４−５２１−７３５４０−５．ｐｄｆ
ｈｔｔｐ：／／ｗｗｗ．ｊｓｄｒ．ｏｒ．ｊｐ／ｗｐ−ｃｏｎｔｅｎｔ／ｕｐｌｏａｄｓ／ｆｉｌｅ／ｍｅｅｔｉｎｇ／ａｎｎｕａｌ＿ｍｅｅｔｉｎｇ＿ｎｏ２２＿ａｂｓｔｒａｃｔｓ．
第２２回日本摂食嚥下リハビリテーション学会学術大会抄録集
ｗｗｗ．ｊｓｄｒ．ｏｒ．ｊｐ／ｗｐ−ｃｏｎｔｅｎｔ／ｕｐｌｏａｄｓ／ｆｉｌｅ／ｍｅｅｔｉｎｇ／ａｎｎｕａｌ＿ｍｅｅｔｉｎｇ＿ｎｏ２２＿ａｂｓｔｒａｃｔｓ
【０００３】機能的電気刺激の原理と発声・嚥下障害への臨床応用
ｈｔｔｐ：／／ｗｗｗ．ｊｓｄｒ．ｏｒ．ｊｐ／ｗｐ−ｃｏｎｔｅｎｔ／ｕｐｌｏａｄｓ／ｆｉｌｅ／ｍｅｅｔｉｎｇ／ａｎｎｕａｌ＿ｍｅｅｔｉｎｇ＿ｎｏ２２＿ａｂｓｔｒａｃｔｓ．
第２２回日本摂食嚥下リハビリテーション学会学術大会抄録集
（Ｐｈａｒｙｎｇｅａｌ  ｍｏｔｏｒ  ｅｖｏｋｅｄ  ｐｏｔｅｎｔｉａｌ：ＰｈＭＥＰ）．．．．．．
【背景技術】
【０００４】近年では肺炎で死亡する人が多く見られます。其の原因は高齢になると誤嚥が始まり、水や水分を含んだ飲み物や食事に関する食べ物など誤飲により肺に入り込み、それを吐き出すために咳が出て、とまらなくなる。
繰り返していることにより肺や器官に滞留したものが炎症を起こして，肺炎となり死亡する可能性が多くなる。
其の誤飲を予防するための一助となる考案である。
【発明の概要】
【発明が解決しようとする課題】
【０００５】口腔内に入る飲み物や食べ物などが誤って飲み込むときに肺や器官に入り込み、物がつまり咳き込みが起こし、残留物があると肺炎などの炎症が起きる可能性がある。そのための予防として考案。【０００６】超音波パルスの発信による舌の下部部分やのど元の飲み込む機能を刺激をして、飲み物や食べ物の飲み込みを普段どうりに回復する予防システム装置。
【発明の効果】
【０００７】誤飲を少なくすることにより、嘔吐や咳き込みや誤飲などの症状から来る肺炎などの炎症が起こらないようにすることが可能。
【図面の簡単な説明】
【０００８】
【図１】正面から見た図、あごの下に左右１個ずつ装着した超音波パルス発信機
【図２】側面から見た図、脱落防止のために耳にひも状のものや帯状のものをかける。
【図３】断面図  装置と耳とあごの下の関係の断面図。
【図４】正面から見た、バージョンとしてあごの下両サイドだけでなく、のど元両サイドにも装着する
【図５】側面図から見た図、脱落防止のために耳にひも状のものや帯状のものをかける。
【図６】断面図から見た図、装置と耳とあごの下の関係の断面図。
【解決手段】
超音波パルスの発信により、あご下部の外側より舌下部部分やのど元に刺激を与えて飲み込みを楽にし、誤飲を予防するシステム装置
選択図  １図
【発明を実施するための形態】
【０００９】あごの下両サイドに超音波パルスを発信する発信機
【００１０】飲み込みの困難な高齢者のためにはあご下だけでなくのど下に同じ装置を取り付け４方向からパルスを発信して刺激を与える。
【符号の説明】１：図：１あご下両サイドに装着する超音波パルス発信機
２：図：２粘着タイプであるが落下防止のためにひも状か帯状の耳架けタイプ
３：図３：人体の断面から見た関係
３−１：オトガイ舌筋
３−２：舌根
３−３  軟口蓋
３−４  喉頭部
４：嚥下障害の激しい高齢者にはあご下だけでなくのど下４箇所に装着
５：粘着タイプであるが落下防止のためにひも状か帯状の耳架けタイプ
６：人体の断面から見た４箇所の関係
６−１：オトガイ舌筋
６−２：舌根
６−３  軟口蓋
６−４  喉頭部
【図１】
2020099655.tif 000003
【図２】
2020099655.tif 000004
【図３】
2020099655.tif 000005
【図４】
2020099655.tif 000006
【図５】
2020099655.tif 000007
【図６】
2020099655.tif 000008
(57)【要約】      （修正有）【課題】刃のかみ合わせ精度を上げるため、互いの刃を大きく離間できることにより、刃の裏側の掃除、加工、修理が可能となる爪切りを提供する。【解決手段】「てこ式爪切り」の上刃体１と下刃体２の接合部分Ｆ１を、蝶番状にし、操作体３を設け、バネ力を得るための支点Ｆ２を設けた爪切りを特徴とする。【選択図】図１
2020099658.tif 000002
【特許請求の範囲】
【請求項１】
前端に刃部を有する上刃体（１）と下刃体（２）が、接合部（Ｆ１）にて固定され、互いに板バネの役割を成し、てこ体（３）を操作することによって刃部が互いに接触及び離間させることができる「てこ式爪切り」において、上刃体（１）と下刃体（２）を、接合部（Ｆ１）にて蝶番状に接合し、固定することなく互いを離間させることができ、刃部内側（４）の掃除、加工、修理が容易に行えることを可能にした爪切り。
【請求項２】
請求項１に記載の爪切りにおいて、上刃体（１）と下刃体（２）の刃部が離間した状態から接近させるときの支点は接合点（Ｆ１）であるが、互いの刃部が接触するよりも先に接触するバネ支点（Ｆ２）を設け、それを新たな支点として、さらに互いの刃部を接触させるべく接近させたときに上刃体（１）と下刃体（２）とが互いに板バネの役割を成すことが可能となる構造の爪切り。
【発明の詳細な説明】
【技術分野】
【０００１】  この発明は、互いの刃を大きく離間できることにより、刃の裏側の掃除、加工、修理が  可能となる爪切りに関するものである。
【背景技術】
【０００２】  従来、「てこ式爪切り」においては上刃体と下刃体の接合部分は固定されており、互いの刃が常に接近している状態である。
【先行技術文献】
【特許文献】
【０００３】
【特許文献１】
【発明の概要】
【発明が解決しようとする課題】
【０００４】  これは次のような欠点があった。
爪切りの刃のかみ合わせ精度をより良くするには、刃の表裏両側を加工する必要があるが、従来の「てこ式爪切り」においては上刃体と下刃体の接合部分は固定されており、互いの刃が接近しているため組立後の刃の裏側の加工が困難であり、精度に限界があった。
本発明は、以上のような欠点をなくすためになされたものである。
【課題を解決するための手段】
【０００５】  上刃体（１）、下刃体（２）、操作体（３）を設け、接合部分（Ｆ１）を蝶番状にし、バネ力を得るための支点（Ｆ２）を設ける。
本発明は以上の構成よりなる爪切りである。
【発明の効果】
【０００６】  上刃体と下刃体の接合部分が蝶番状になっているため、使用後のメンテナンスを行う際に操作体を着脱することにより刃同士を離間させることができ、刃の裏側の掃除、加工、修理が容易に可能となる。
【図面の簡単な説明】
【０００７】
【図１】  本発明の斜視図である
【図２】  本発明の展開図である
【図３】  本発明の側面図である
【発明を実施するための形態】
【０００８】  以下、本発明を実施するための形態について説明する。
爪切りの上刃体（１）と下刃体（２）の後端を互いに重ならないように筒状にし、蝶番状に連結する。しかし、本来接合部分を支点に得られるバネ機能が、固定しない構造にすることに伴って損なわれるため、接合部（Ｆ１）と並行する軸上に、操作体を取り付けた時にバネ力がかかるように、支点（Ｆ２）を設ける。
本発明は以上のような構造である。
これを使用するときには、従来の「てこ式爪切り」と同じように使用し、メンテナンスが必要なときには、操作体を外し、接合部分を軸に上刃と下刃を開き、刃の裏側の掃除、修理を行えばよい。
【符号の説明】
【０００９】１    上刃体
２    下刃体
３    操作体
４    刃部内側
Ｆ１  接合部
Ｆ２  バネ支点
【図１】
2020099658.tif 000003
【図２】
2020099658.tif 000004
【図３】
2020099658.tif 000005
(57)【要約】【課題】揮散処理塔等の設備におけるＢＯＤスケール等に起因した閉塞が防止される地下水の浄化方法を提供する。【解決手段】注入井戸１から地下水に栄養剤を注入すると共に、それよりも地下水流れ方向下流側の揚水井戸３により地下水を揚水する地下水の浄化方法において、該栄養剤の注入井戸１と揚水井戸３の間に観測井戸２を設け、該観測井戸２でＴＯＣを測定し、揚水中のＴＯＣ濃度が所定値以下となるように前記栄養剤の注入量を制御することを特徴とする地下水の浄化方法。【選択図】図１
2020099881.tif 000002
【特許請求の範囲】
【請求項１】
地下水に栄養剤を注入すると共に、それよりも地下水流れ方向下流側において地下水を揚水する地下水の浄化方法において、
該栄養剤の注入箇所と揚水箇所の間に観測井戸を設け、該観測井戸でＴＯＣを測定し、
前記揚水中のＴＯＣ濃度が所定値以下となるように前記栄養剤の注入量を制御することを特徴とする地下水の浄化方法。
【請求項２】
前記栄養剤の注入箇所から揚水箇所までの複数箇所に前記観測井戸を設けることを特徴とする請求項１の地下水の浄化方法。
【請求項３】
前記揚水中のＴＯＣ濃度を１０ｍｇ／Ｌ以下とすることを特徴とする請求項１又は２の地下水の浄化方法。
【発明の詳細な説明】
【技術分野】
【０００１】
本発明は、地下水の浄化方法に関する。
【背景技術】
【０００２】
有害物質で汚染された土壌を浄化する方法として、微生物を利用して土壌や地下水中の有害物質を分解除去する浄化技術（バイオレメディエーション）がある。
【０００３】
例えば、特許文献１には、栄養剤を土壌に注入すると共に、前記栄養剤を注入した位置とは異なる位置で、前記土壌中から地下水を真空吸引して揚水する汚染土壌の浄化方法が記載されている。
【先行技術文献】
【特許文献】
【０００４】
【特許文献１】特開２００７−２６０６１０号公報
【発明の概要】
【発明が解決しようとする課題】
【０００５】
注入井戸によって土壌に栄養剤を注入し、下流側の揚水井戸で揚水する場合、栄養剤が揚水井戸に到達すると、揚水を処理する揮散処理塔がＢＯＤスケール等で閉塞することが多い。
【０００６】
地下水が注入井戸から揚水井戸にまで到達するには相当の時間がかかるので、揚水井戸の揚水中の栄養剤濃度測定結果に基づいて、注入井戸での栄養剤注入制御を行ったのでは、制御遅れが大きく、栄養剤が揚水井戸に到達することを防止することはできない。栄養剤注入量を少なくした場合には、地下水浄化が不十分となる。
【０００７】
本発明は、栄養剤が十分に注入されると共に、揮散処理塔等の設備におけるＢＯＤスケール等に起因した閉塞が防止される地下水の浄化方法を提供することを目的とする。
【課題を解決するための手段】
【０００８】
本発明の地下水の浄化方法は、地下水に栄養剤を注入すると共に、それよりも地下水流れ方向下流側において地下水を揚水する地下水の浄化方法において、該栄養剤の注入箇所と揚水箇所の間に観測井戸を設け、該観測井戸でＴＯＣを測定し、前記揚水中のＴＯＣ濃度が所定値以下となるように前記栄養剤の注入量を制御することを特徴とする。
【０００９】
本発明の一態様では、前記栄養剤の注入箇所から揚水箇所までの複数箇所に前記観測井戸を設ける。
【００１０】
本発明の一態様では、前記揚水中のＴＯＣ濃度を１０ｍｇ／Ｌ以下とする。
【発明の効果】
【００１１】
敷地内に設置している観測井戸や栄養剤注入井戸で、ＴＯＣ等を監視し、栄養剤の注入量や濃度を調整することにより、栄養剤注入量を十分に多くすると共に、揚水井戸へ高濃度ＴＯＣが流入することが防止される。
【００１２】
このように揮散処理塔へのＴＯＣの流入を抑制することにより、揮散処理塔でのＢＯＤスケール生成が防止（抑制を含む）される。
揮散処理装置への有機物負荷量をある所定値以下に抑えることでも、揮散処理塔等の設備の閉塞を防止することが可能である。
揮散処理装置への有機物負荷量（ｇ）＝揚水量（ｍ３／ｄ）×揚水中ＴＯＣ濃度（ｇ／ｍ３）×揚水期間（ｄ）
【図面の簡単な説明】
【００１３】
【図１】本発明方法を説明する平面図である。
【発明を実施するための形態】
【００１４】
以下、図１を参照して実施の形態について説明する。
【００１５】
汚染地下水が地下に存在する範囲Ａの地下水流れ方向上流側の注入井戸１から栄養剤の水溶液が注入される。下流側に設けた揚水井戸３から地下水が揚水され、揮散処理塔４へ送水されて処理され、処理された水は放流される。
【００１６】
注入井戸１と揚水井戸３との間の複数箇所に観測井戸２が設けられている。
【００１７】
観測井戸２内において、又は観測井戸２から汲み上げた地下水について、ＴＯＣ濃度を測定し、この測定結果に基づいて、注入井戸１からの栄養剤の注入量を制御する。具体的には、注入する栄養剤水溶液の濃度及び量の一方又は双方を制御する。
【００１８】
好ましくは、栄養剤の注入量制御は、揚水井戸３から揚水される地下水中のＴＯＣ濃度が１０ｍｇ／Ｌ以下特に４〜８ｍｇ／Ｌとなるようにする。
【００１９】
地下水中の栄養剤濃度は、栄養剤の注入井戸１側が最も高く、揚水井戸３に向って徐々に低くなる。従って、各観測井戸２で測定される地下水中の栄養剤濃度に基づいて移流拡散シミュレーション（数値解析）により、揚水井戸３における地下水中の栄養剤濃度を推定し、揚水井戸３における地下水中の栄養剤濃度を推定し、この推察栄養剤濃度が上記範囲となるように、しかもなるべく栄養剤注入量が多くなるように栄養剤の注入量を制御することが好ましい。
【００２０】
本発明において、処理対象となる地下水としては、塩素化エチレン等の有機塩素化合物で汚染された地下水が例示される。塩素化エチレンとしては、テトラクロロエチレン（ＰＣＥ）、トリクロロエチレン（ＴＣＥ）、シス−１，２−ジクロロエチレン（ｃｉｓ−ＤＣＥ）、トランス−１，２−ジクロロエチレン（ｔｒａｎｓ−ＤＣＥ）、１，１−ジクロロエチレン（１，１−ＤＣＥ）、塩化ビニル（ＶＣ）およびこれらの脱塩素化中間体などが例示される。
【００２１】
栄養剤としては、グルコース等の糖類、でんぷん、酢酸やクエン酸又はその塩、メタノール、エタノール、ペプトン、酵母エキスのほか、ポリ乳酸等の生分解性ポリマー、トリグリセリド、脂肪酸等が好適であるが、特に酢酸やクエン酸又はその塩が好適である。
【００２２】
栄養剤注入工程に用いる栄養剤溶液の栄養剤濃度は、炭素として１００〜１００００ｍｇ／Ｌ特に１０００〜３０００ｍｇ／Ｌの範囲が良い。栄養剤濃度が低すぎると栄養剤分解微生物が栄養剤を分解する際に必要とする水素が不足し、栄養剤濃度が高すぎると栄養剤分解菌の活性を阻害してしまう。
【００２３】
本発明では、栄養剤以外に、塩素化エチレン分解菌を注入し、塩素化エチレン等の有機塩素化合物の分解効率を高くしてもよい。
【００２４】
塩素化エチレンの分解菌としては、塩素化エチレン分解活性を有するデハロコッコイデス属細菌などが例示される。
【符号の説明】
【００２５】
１  注入井戸
２  観測井戸
３  揚水井戸
４  揮散処理塔
【図１】
2020099881.tif 000003
(57)【要約】      （修正有）【課題】電気不要の排水処理方法おいて、槽外へ排出される処理水の水質を向上させる。【解決手段】嫌気処理室８の次の工程としてプラスに帯電する担体を充填させた担体カラム槽１を設け、嫌気処理室８から排出される処理水中に浮遊するフロック同士を、前記担体上で会合させ、担体カラム槽１の次工程の固液分離槽９でのフロックの沈降性を高め浮遊するフロックを減少させるので、処理水を槽外へ排出するとき浮遊フロックの漏洩はなくなる。また、固液分離槽の次工程に生物活性炭槽５を備えることで処理水中の溶解性ＢＯＤを除去する。【選択図】図３
2020099892.tif 000002
【特許請求の範囲】
【請求項１】
電気不要の排水処理方法において、嫌気処理と固液分離の排水工程の間に配設され、嫌気槽から流出されるフロックを含む処理水が流入し、プラスに帯電する担体を充填した担体カラム槽を備えたことを特徴とする排水処理方法。
【請求項２】
請求項１に記載の排水処理方法において、前記担体カラム槽の次工程である固液分離槽のさらに次工程として４〜８メッシュの活性炭を充填した生物活性炭槽を備えたことを特徴とする排水処理方法。
【発明の詳細な説明】
【技術分野】
【０００１】  本発明は、曝気槽を設けない電気不要の排水処理装置の処理性能を高めるための排水処理方法に関する。
【背景技術】
【０００２】  電気不要の、し尿及び生活排水（以下、汚水という）の処理方法としてはセプティックタンクを用いた嫌気処理方法がある。セプティックタンクでは、タンク内に流入した汚水は嫌気性微生物によって処理され、発生する汚泥は槽内に沈殿し、上澄水は処理水として排出されるというシンプルな処理方式である。
【発明の概要】
【発明が解決しようとする課題】
【０００３】  セプティックタンクでは、嫌気微生物の塊である微フロックが粗粒で低密化の場合、沈降濃縮率は低くなり、微フロックは沈降せず上澄水に浮遊したまま、処理水と共に槽外へと排出され、その結果排水の基準値を満たさない水質となる問題があった。
【課題を解決するための手段】
【０００４】  本発明にかかわる排水処理方法は、電気不要で、嫌気処理槽から排出される処理水中の微フロックを電荷性質の利用によって微フロック同士を会合させて沈降性を高め、槽外へ排出される処理水の水質をＢＯＤ２０ｍｇ／Ｌ以下にすることを目的とする。すなわち、嫌気処理槽の次工程としてプラスに帯電している担体を充填した担体カラム槽を設けることで、微フロックはマイナスに帯電しているので、前記担体カラム槽内の担体上で、嫌気室から流出した処理水に含有する微フロックはマイナスの電荷が打ち消され、分子間引力によって各微フロックは互いに引き寄せられ、会合してフロックは大きくなる。【０００５】  フロックが大きくなることで、沈降濃縮率が高くなり、固液分離槽で処理水と汚泥は明確に分離する。【０００６】  これにより、固液分離槽の上澄である処理水中に浮遊する微フロックは、担体カラム槽通過前に比べて８０％以上減少し、その処理水は固液分離槽の次工程である生物活性炭槽に流入する。生物活性炭槽は、活性炭を充填した槽である。固液分離槽から排出した処理水が生物活性炭槽を通過することで、活性炭が溶解性ＢＯＤを吸着除去し、さらに良好な放流水質が得られる。生物活性炭槽に流入する処理水はすでに微フロックが減少しているので、浮遊物質による活性炭の目詰まりは生じにくくなる。
【発明の効果】
【０００７】  本発明によれば、処理水を槽外へ排出するとき浮遊フロックの漏洩はなくなり、また溶解性ＢＯＤを除去することができるので、ＢＯＤ２０ｍｇ／Ｌ以下の水質の処理水が得られるようになる。
【発明を実施するための形態】
【実施例】
【０００８】  以下、本発明の実施例について説明する。但し、本発明は以下の実施例に限定されない。【００１０】  プラスに帯電する担体の原料としてマグネタイトを主原料のポリプロピレンに対して５〜４０％混合する。前記担体の形状は、直径１５〜２０ｍｍ、長さ１５〜２０ｍｍの中空円筒体とする。【００１１】  担体カラム槽容積の体積は、固液分離槽の８分の１〜５分の１の体積とし、前記担体を担体カラム容積に対して６０〜８０％充填する。【００１２】  生物活性炭槽で使用する活性炭は、粒度４〜８メッシュ。【００１３】  網状骨格の円筒状の担体を汚水中の固形物の補足と嫌気微生物の住処として充填した嫌気第１室と第２室の２室の嫌気槽で処理された微フッロクを含んだ処理水は、担体カラム槽に流入する。前記担体カラム槽中でプラスに帯電する担体と接触した微フロックは会合して、１〜２ｍｍのフロックとなって担体カラム槽から流出し、固液分離槽で沈降する。固液分離槽の上澄である処理水は、生物活性炭槽に流入し、含有する溶解性ＢＯＤは活性炭に吸着し、生物活性炭槽から流出される処理水は、塩素剤を通過させたのち、槽外へと放流される。最終処理水のＢＯＤ濃度は２０ｍｇ／Ｌ以下となる。
【産業上の利用可能性】
【００１４】  開発途上国では、近年、設置が下水道に比べて容易で汚水処理能力の高い排水処理方法として浄化槽の設置が進められているところがある。しかしながら浄化槽は空気を送りこむためのブロワーが必要で、すなわちブロワーを動かすための電気が必要となりランニングコストのかかる方法である。本発明の排水処理方法は、電気が不要なのでランニングコストがかからず、放出される処理水の水質は浄化槽と同等のＢＯＤ２０ｍｇ／Ｌ以下となり、本排水処理方法は設置者または使用者の経済的負担が少ない。
【図面の簡単な説明】
【００１５】
【図１】実施例における担体カラム槽の側面図である。
【図２】実施例における生物活性炭槽の側面図である。
【図３】実施例における、電気不要の排水処理全工程を示す上図である。
【図４】実施例における、電気不要の排水処理全工程を示す側面図である。
【符号の説明】
【００１６】１    担体カラム槽
２    嫌気槽からの流入口
３    プラスに帯電する担体
４    メトロンシート
５    生物活性炭槽
６    活性炭
７    消毒槽への流出口
８    嫌気室
９    固液分離槽
１０  消毒槽
１１  汚水流入口
１２  処理水放流口
【図１】
2020099892.tif 000003
【図２】
2020099892.tif 000004
【図３】
2020099892.tif 000005
【図４】
2020099892.tif 000006
(57)【要約】      （修正有）【課題】腰部脊柱管狭窄症に対する脊柱管拡大手術において、屈曲鋭匙では骨の裏面から黄色靭帯を剥離して摘出する操作が効率的な器具を提供する。【解決手段】当発明の鋭匙は，匙部３１がシャフト３２に対して匙口方向に垂直近くの方向に屈曲し，匙口周囲の鋭刃が手元側だけである．これを骨裏面に当てて頭側または尾側に動かして，黄色靭帯を鋭刃により剥がしながら，匙面にて黄色靭帯を受けて正中側へ塊状に押し出す．安全で効率的に黄色靭帯を摘出できる．【選択図】図９
2020199186.tif 000002
【特許請求の範囲】
【請求項１】
脊椎手術で使用する鋭匙において，
シャフトに対する匙部の屈曲方向が匙口方向と垂直近くの方向である屈曲鋭匙であり，
匙口辺縁の鋭刃が手元側だけであることを特徴とする器具．
【発明の詳細な説明】
【技術分野】
【０００１】
当発明は、脊椎手術において使用する手術器具に関するものである。
【背景技術】
【０００２】
脊柱管狭窄症に対する手術において図１で示すように背側Ｄからのアプローチで骨Ｂの裏面つまり腹側Ｖに固着している黄色靭帯Ｌを剥がして摘出する操作が必要であるが，その黄色靭帯Ｌの周囲には神経Ｎも存在するため，神経Ｎを損傷しないように操作する必要もある．この操作に従来から屈曲鋭匙２がよく用いられている．図２で示すように鋭匙とは持ち手や柄を含むシャフト１２があり，その先に匙部１１があり，匙部１１の辺縁は鋭刃となっている．鋭刃１３は匙部１１辺縁のほぼ全周性にある（図５左図，図６左図）．図２，図３はシャフト１２と匙部１１とが真っ直ぐな直鋭匙１である．従来より匙部２１とシャフト２２との間が屈曲した屈曲鋭匙２（図１，図４右図）は既に存在するが，みな屈曲方向が匙口方向Ｍである．匙口方向とは匙口凹面が向いている方向，つまり匙形の辺縁輪を包含する平面を想定するとその平面の垂線方向である．
【０００３】
脊柱管狭窄症に対する手術で屈曲鋭匙２を用いる際の手技は，図１のように背側Ｄから挿入した屈曲鋭匙２の匙部を骨Ｂの裏面に付着する黄色靭帯Ｌの腹側Ｖに挿入し，手前（背側Ｄ）に引いて鋭刃と骨Ｂとの間で黄色靭帯Ｌをはさんでから骨Ｂの裏面に沿って引いてきて黄色靭帯Ｌを剥離して引きずり出して摘出する． 
【先行技術文献】
【特許文献】
【０００４】
【特許文献１】特開２０００−２８７９７９
【発明の概要】
【発明が解決しようとする課題】
【０００５】
この従来の方法では図７左図（背側から見た模式図）のように，一回の操作での黄色靭帯Ｌの切除範囲が鋭匙の幅だけとなり，小範囲なので体軸方向に広範囲にある黄色靭帯Ｌの切除に非効率的である．また黄色靭帯Ｌが厚い場合には鋭匙の鋭刃と骨Ｂとの間で黄色靭帯Ｌを噛み切ることができず，黄色靭帯Ｌを摘出できないことがある．
【０００６】
そこで脊椎手術において鋭匙の効率性と有効性を向上させることを目的とする。
【課題を解決するための手段】
【０００７】
上記課題を解決するための当発明の脊椎手術用の屈曲鋭匙３について，直鋭匙１を原型として方向を定義しそれとの差異で表現する．直鋭匙の匙口凹面が向いている方向（前述詳記）を匙口方向Ｍとし（図２，図４左図），シャフト１２の長軸において匙部１１側を先端側Ｔとし，その逆側を手元側Ｎとする（図２）．シャフト３２に対する匙部３１の屈曲方向が従来の屈曲鋭匙２（図４右図）のような匙口方向Ｍではなく匙口方向とは垂直方向に近く（図５右図），匙口辺縁の鋭刃３３が従来のような全周性（図６左図）ではなく手元側Ｎだけである（図６右図）． 
【０００８】
使用手技は，当発明の屈曲鋭匙３を背側から挿入し，匙部３１を骨Ｂの裏面に付着する黄色靭帯Ｌの腹側に挿入し，黄色靭帯Ｌを骨面との間ではさんでから，従来のように手前に引く（図７左図）のではなく体軸方向Ａに動かして，黄色靭帯Ｌを鋭刃３３により骨面から剥がしながら進める（図７中央図と右図）．
【発明の効果】
【０００９】
上記手技により一回の操作で広範囲の黄色靭帯を剥がして摘出することが可能となる．黄色靭帯Ｌが骨Ｂからの剥離が起きるとその剥離した黄色靭帯Ｌは匙部３１凹面で受けられて押し出されるが，黄色靭帯Ｌが一塊となって押し出されていくため，鋭刃と骨との接触部位での剥離よりも広範囲に剥離作用が及ぶことになる． 
【００１０】
この時，匙部の先端側周囲に神経Ｎが存在するが（図１）神経Ｎに対面する匙部３１の先端側の面は鈍形状であり神経を損傷しない．
【図面の簡単な説明】
【００１１】
【図１】手術中の脊椎軸断図。
【図２】既存の直鋭匙の全体側面（わずかに斜位）図．
【図３】既存の直鋭匙の先端図（上図が側面（わずかに斜位）図，下図が正面図）．
【図４】既存の直鋭匙（左図）と既存の屈曲鋭匙（右図）の先端側面（わずかに斜位）図．
【図５】既存の直鋭匙（左図）と当発明の鋭匙（右図）の先端正面図．
【図６】既存の直鋭匙（左図）と当発明の鋭匙（右図）の匙部断面図．
【図７】既存の屈曲鋭匙（左図）と当発明の鋭匙（中央図と右図）の使用手技比較模式図．
【図８】当発明の鋭匙の匙部正面図．
【図９】当発明の鋭匙の全体正面図．
【発明を実施するための形態】
【００１２】
当発明の鋭匙３の実施形態を図５，６，９を用いて説明する。図５右図のようにシャフト３２に対する匙部３１の屈曲方向が匙口方向Ｍとは垂直方向に近い．図６右図のように匙口辺縁の鋭刃３３が手元側Ｎだけである．全体としては図９のようになる．
【００１３】
匙部正面形状は図８のように楕円３１や長円４１，角丸長方形５１などが考えられる．
【図１】
2020199186.tif 000003
【図２】
2020199186.tif 000004
【図３】
2020199186.tif 000005
【図４】
2020199186.tif 000006
【図５】
2020199186.tif 000007
【図６】
2020199186.tif 000008
【図７】
2020199186.tif 000009
【図８】
2020199186.tif 000010
【図９】
2020199186.tif 000011
(57)【要約】      （修正有）【課題】切断時に加わる横からの力に対して動きにくく、排熱ガスの吹き返しによる加熱効果の低下を防止可能なガス切断直線定規を提供する。【解決手段】定規の安定は、定規の全長に反り1を設けることで、両端が切断する鋼板に接した時、鋼板の大、小に関わりなく定規との間に隙間を生じ、叉定規の重さも反り間の２点のみに掛かる事で達成される。叉、高圧排出ガスの吹き返しは定規下面全体に網目状の排熱溝2、排熱を排熱溝へ誘する定規の下角両縁のC面、を設け更に、反り1も鋼板との隙間を生じることで、排熱の効果も共有する。【選択図】図２
2020199545.tif 000002
【特許請求の範囲】
【請求項１】
ガス切断直線規定を安定させるために底面に上方向の反りを形成して定規の両
端で被切断材と接するガス切断直線定規。                
【請求項２】
上記底面全体に網目状の排熱溝を形成する請求項1に記載のガス切断直線定規。
【請求項３】
長側面下縁にＣ面を形成した請求項2に記載のガス切断直線定規。                                                                                                     
【発明の詳細な説明】
【技術分野】
【０００１】
本発明は鋼板、形鋼等の、ガスによる直線切断時のガイドとして使用する
ガス切断直線定規に関する。
【背景技術】
【０００２】
ガス切断機を直線定規に沿わせて鋼板の切断を行う時、接する定規の下面
と、鋼板の表面は共に平坦の為、間にゴミを噛んだり又は、熱の影響による膨
張で直線定規と鋼板の接面が点当たり状態となって、切断時に加わる横からの
力に対して動きやすくなる。      
【０００３】
ガス切断は加熱炎と同時に高圧の酸素を噴出して切断するが、定規の底面と
鋼板の表面が共に平坦な場合には、加熱炎は定規の側面に当たって吹き返され 
るため加熱炎の加熱の効果が下がる。                                          
【先行技術文献】
【特許文献】
【０００４】
【特許文献１】実開昭54-155930号公報
【発明の概要】
【発明が解決しようとする課題】
【０００５】
本発明は切断時に加わる横からの力に対して動きにくく、排熱ガスの吹き
返しによる加熱効果の低下を防止することができるガス切断直線定規を提供
することにある。
【課題を解決するための手段】
【０００６】
直線定規図2に示すように定規に反り1を設けて両端の2点を支点とすることで  
安定させた。  
【０００７】
加熱炎の安定は、排熱を定規の使用側から、対方向側へ逃がすため、定規の下面 
全体に網目状の溝2と、下角の両縁に排熱を溝へ誘導する為のＣ面をもうけることに
より達成した。更に前記の定規安定の反り1は、鋼板との間に隙間を生じることから
排熱の効果も共有する。
【発明の効果】
【０００８】
直線定規の側面に反り1を有する事で切断する鋼板に対しての大小、切断寸法の
長短に関わりなく、定規の両端の2点を支点として接着するので定規は安定する叉、
片方を基準にして切断線に早く合わせることが出来る利点がある。
【０００９】
燃焼した排熱ガスを対方向側へ逃がしたことから、加熱炎の安定、ガスの使用量
の削減、作業時間の短縮、品質、安全等、いずれにおいても効果は向上する。                                                                            
【図面の簡単な説明】
【００１０】
【図１】直線定規を上から見た平面図である。
【図２】直線定規の反り1を強調した正面図である。
【図３】排熱溝2を構成した底面図である。
【図４】定規の側面図である。矢印→は排熱方向を示す。
【発明を実施するための形態】
【００１１】
ガス切断直線定規は、図2に示すように定規の長側面に上方向の反り1を有す
る事で両端が鋼板に接着し、定規の中央に隙間を設けている。この隙間によ  
りゴミを噛んだり、ガス切断器のノズルの火炎の熱による熱膨張を原因とす
る定規の逆反りも吸収して定規は安定する。
【００１２】
加熱炎が定規の側面に当たって、吹き返す事による加熱炎の燃焼の不安定
さを防ぐために、排熱を定規の使用する側から定規の下を通って対方向側へ逃  
がすように(図4参照)定規の下面全体に図3に示すように網目状の溝2と、排熱を  
溝へ導き易くする為に、定規の下角の両縁にＣ面3を設けた。更に定規の反り1
も鋼板との間に隙間を生じる事から、排熱の役割も果たす。図4中、4は切断器
のノズルである。図1、図2示す符号5は取手である。反りと鋼板の最大距離1は
100ｍｍLに対して、1ｍｍである。定規の材質は、例えばＳＳ400である。
【符号の説明】
【００１３】
1、  反り
2、  排熱溝
3、  Ｃ面
4、  ノズル
5、  取手
【図１】
2020199545.tif 000003
【図２】
2020199545.tif 000004
【図３】
2020199545.tif 000005
【図４】
2020199545.tif 000006
【手続補正書】
【提出日】令和2年2月1日(2020.2.1)
【手続補正１】
【補正対象書類名】特許請求の範囲
【補正対象項目名】全文
【補正方法】変更
【補正の内容】
【特許請求の範囲】
【請求項１】
ガス切断直線定規を安定させるために底面に上方向の反りを形成して定規の両端で被切断材と接するガス切断直線定規であって、上記底面全体に網目状の排熱溝を形成するガス切断直線定規。
【請求項２】
長側面下縁にＣ面を形成した請求項１に記載のガス切断直線定規。
(57)【要約】      （修正有）【課題】冊子になっている一般のアルバムを、見開きの状態で写真立てとして使用する。【解決手段】一般の写真立てと同じように前面を透明の板１で保護する。また、前面の透明の板を、左右を折りたたむように内側にやや曲げることでアルバムがやや閉じ気味に納まることにより、アルバムの背に負担をかけず、またアルバムらしい見栄えが得られる形状になる。アルバムを後ろから支える仕組みが必要になるが、アルバムは開くページにより、左右の厚さに変化が生じるため、後ろから押さえる支え２、後ろから支える左右連結された板が左右それぞれ厚さの変化に対応できるようにする。これによりどのページを開いてもしっかりと後ろから押さえることができる。【選択図】図１
2020199231.tif 000002
【特許請求の範囲】
【請求項１】
冊子になっているアルバムを見開きの状態のまま固定できる写真立てで、一般の写真立てと同じように前面が透明の板（１）で保護されているもの。
【請求項２】
［請求項１］の前面の透明の板（１）を、左右を折りたたむように内側にやや曲げ、アルバムがやや閉じ気味に納まることにより、アルバムの背に負担をかけず、またアルバムらしい見栄えが得られる形状。
【請求項３】
アルバムは開くページにより、左右の厚さに変化が生じるが、後ろから押さえる支え（２）を左右独立させ、それぞれ単独で厚さの変化に対応できるようにする。これによりどのページを開いても隙間なくしっかりと後ろから押さえることができる仕組み。この仕組みの断面図が［図５］である。
【請求項４】
アルバムは開くページにより、左右の厚さに変化が生じるが、［図３］に示す通り、後ろから押さえる左右連結された板（３）を、アルバムの背に接触しない形状（９）にしてアルバムの表表紙と裏表紙を同時に押さえ、尚且つアルバムの左右の厚さの変化に合わせて左右に平行移動できる仕組み（１０）にする。これによりどのページを開いても隙間なくしっかりと後ろから押さえることができる仕組み。
【請求項５】
［図４］に示す、折り曲げ線（７）をやや斜め（１１）にし、前面がやや上方を向くようにすることができる仕組み。重心を後ろに移動させることにより安定する。
【発明の詳細な説明】
【技術分野】
【０００１】この発明は、冊子になっている一般のアルバムを見開きの状態のまま固定できる写真立てに関するものである。
【背景技術】
【０００２】一般のアルバムは冊子になっているため、通常は閉じたまま保管されていて、写真を見るときは開いたときのみである。
【発明の概要】
【発明が解決しようとする課題】
【０００３】一般のアルバムは冊子になっているため、写真を見るのはアルバムを開いたときのみである。また、アルバムに納められた写真を写真立てに納める際にはアルバムから取り出さなければならない。このときアルバムにバランスよく配置された写真を抜き出すと、抜き出したページ全体のバランスを欠くこともある。この発明は、冊子になっている一般のアルバムを、見開きの状態で写真立てとして使用するものである。
【課題を解決するための手段】
【０００４】一般の写真立てと同じように前面を透明の板（１）で保護する。
また、前面の透明の板（１）を、左右を折りたたむように内側にやや曲げることでアルバムがやや閉じ気味に納まることにより、アルバムの背に負担をかけず、またアルバムらしい見栄えが得られる形状になる。アルバムを後ろから支える仕組みが必要になるが、アルバムは開くページにより、左右の厚さに変化が生じるため、［図２］の通り、後ろから押さえる支え（２）、又は［図３］の通り、後ろから押さえる左右連結された板（３）が見開いたアルバムの左右それぞれの厚さの変化に対応できるようにする。この仕組みの断面図が［図５］である。これによりどのページを開いてもしっかりと後ろから押さえることができる。
【発明の効果】
【０００５】冊子になっている一般のアルバムそのものを見開きの状態で写真立てとして使用することが可能。写真をアルバムから写真立てに納めたい時でもアルバムから取り出さなくてもよい。写真を変更したいときはアルバムのページを変えるだけでよい。アルバムにバランスよく配置された写真を、そのまま写真立てのように置くことができる。
【図面の簡単な説明】
【０００６】
【図１】本発明の斜視図である。
【図２】本発明の斜視図である。（使用時）
【図３】本発明の斜視図である。（［請求項５］の場合）
【図４】本発明の材料の断面図である。
【図５】本発明の断面図である。（［請求項５］の場合）
【発明を実施するための形態】
【０００７】加工例として、透明の板を［図４］の断面図の形状の通りに切り出す。折り曲げ線（４）を内側にやや折り曲げる。折り曲げ線（５）を外側に折り曲げる。折り曲げ線（６）を外側に折り曲げる。折り曲げ線（７）を外側に折り曲げる。［図１］の形状になり、完成となる。以上は一枚の板を加工する方法であるが、切断と折り曲げのみの加工のため製造工程が簡素化され量産が可能である。材料費を削減する場合等は、前面のみ透明の板（１）にして、他の部分は材料を別に用意し接着する方法もある。また［図３］のように後ろから押さえる左右連結された板（３）を独立させることにより、かなりの厚さのアルバムでも納めることができる。この場合、後ろから押さえる左右連結された板（３）はアルバムの左右の厚さの変化に合わせて左右に平行移動できる仕組み（１０）であるため、後ろから押さえる左右連結された板（３）と後ろから押さえる支え（８）は接着剤等で固定せず、滑り止めやマジックテープ等で取り付けることになる。
【符号の説明】
【０００８】  １  透明の板
２  後から押さえる支え
３  後ろから押さえる左右連結された板
４  折り曲げ線（やや内側）
５  折り曲げ線（外側）
６  折り曲げ線（外側）
７  折り曲げ線（外側）
８  後から押さえる支え
９  アルバムの背に接触しない形状
１０  アルバムの左右の厚さの変化に合わせて左右に平行移動できる仕組み
１１  やや斜め
【図１】
2020199231.tif 000003
【図２】
2020199231.tif 000004
【図３】
2020199231.tif 000005
【図４】
2020199231.tif 000006
【図５】
2020199231.tif 000007
(57)【要約】      （修正有）【課題】傘をテーブルなどに引っ掛ける時、設置面が滑り、不安定になることを解消する。【解決手段】傘の持ち手１の先端に滑り止め２を付けたことを特徴とする。【選択図】図１
2020199228.tif 000002
【特許請求の範囲】
【請求項１】
傘の持ち手（１）の先端に滑り止め（２）を付けた、引っ掛けた時に滑らない傘の持ち手。
【発明の詳細な説明】
【技術分野】
【０００１】    この発明は、傘の持ち手の先端に付ける滑り止めに関するものである。
【背景技術】
【０００２】    従来、傘をひっかけるとき先端が滑り不安定になっていた。
【先行技術文献】
【特許文献】
【０００３】
【特許文献１】
【発明の概要】
【発明が解決しようとする課題】
【０００４】    これは、次のような欠点があった。
従来、傘をテーブルなどにひっかけると、持ち手と台面の摩擦が低く、滑ってしまい、結果傘が床に落ちることがしばしばあった。
本発明は、以上のような欠点をなくすためになされたものである。
【課題を解決するための手段】
【０００５】    傘の持ち手の先端（１）に滑り止めとなるゴム・シリコンなど（２）を付ける。
本発明は、以上の構成よりなる傘の持ち手の滑り止めである。
【発明の効果】
【０００６】傘の持ち手の先端に滑り止めがあることにより、傘をテーブルなどにかけるときに滑り落ちてしまうことを防ぐことができる。
【図面の簡単な説明】
【０００７】
【図１】  本発明の側面図である。
【発明を実施するための形態】
【０００８】以下、本発明を実施するための形態について説明する。
傘の持ち手（１）の先端に滑り止め（２）を付ける。
取り付ける方法としては、埋め込む、貼り付ける、かぶせるがある。
使用する際は、滑り止め（２）を接地面にむけて置けばよい。
【符号の説明】
【０００９】１  傘の持ち手
２  滑り止め
【図１】
2020199228.tif 000003